(57)【要約】  【課題】  壁面と電子黒板との間の「ガタつき」を防止することができる掲示板取付具およびその掲示板取付具を用いた電子黒板を提供すること。  【解決手段】  電子黒板Ｅに取着されるフック部材３，４の係合部３ｂ，４ｂが、支持部材２の第１テーパー部２ｂまたは第２テーパー部２ｃの傾斜に沿って係止片部２ａへ誘導され、係止片部２ａに係合する。よって、フック部材３，４の係合部３ｂ，４ｂを容易に支持部材２の係止片部２ａへ係合することができる。さらに、フック部材３，４の係合板３ａの厚さが支持部材２の係止片部２ａの厚さと同一に形成されているので、係合後、係止片部２ａと係合部３ｂ，４ｂとの間での電子黒板Ｅの前後方向における「ガタつき」を防止することができる。つまり、電子黒板Ｅを壁面Ｗに掛けた後に、電子黒板Ｅと壁面Ｗとの間での電子黒板Ｅの前後方向における「ガタつき」を防止することができる。【選択図】        図６
2005095637.tif 000002
【特許請求の範囲】
【請求項１】
支持部材と、その支持部材に係止可能なフック部材とを備えた掲示板取付具において、
前記支持部材には、前記フック部材を係止する係止片部と、その係止片部の端部から外方へ上昇傾斜したテーパー部とが形成されており、
前記フック部材は、前記係止片部と係合される係合部が形成された係合板を備えており、
前記係合板の厚さは前記係止片部の厚さと略同一かそれより大きく形成されていることを特徴とする掲示板取付具。
【請求項２】
前記テーパー部は前記係止片部の両端部に形成されていることを特徴とする請求項１に記載の掲示板取付具。
【請求項３】
前記フック部材の１つは、前記係合部の溝の幅が前記係止片部の外形幅と略同一に形成されると共に、前記フック部材の他のものは、前記係合部の溝の幅が前記係止片部の外形幅より広く形成されていることを特徴とする請求項１または２に記載の掲示板取付具。
【請求項４】
前記フック部材は、前記係合板の下端部分から下方へ向かって傾斜しつつ延出されたフック傾斜板を備えていることを特徴とする請求項１から３のいずれかに記載の掲示板取付具。
【請求項５】
請求項１から４のいずれかに記載の掲示板取付具を備えたことを特徴とする掲示板。
【請求項６】
前記フック部材より下方に取着されると共に、壁面に当接される脚を裏面に備えていることを特徴とする請求項５記載の掲示板。
【請求項７】
裏面の四隅に、壁面に当接される脚を備えていることを特徴とする請求項５記載の掲示板。
【発明の詳細な説明】
【技術分野】
【０００１】
本発明は、黒板、ホワイトボード、電子黒板等の掲示板を壁面に取着する場合に用いられる掲示板取付具およびその掲示板取付具を用いた掲示板に関し、特に、壁面と掲示板との間の「ガタつき」を防止することができる掲示板取付具およびその掲示板取付具を用いた掲示板に関するものである。
【背景技術】
【０００２】
従来は、黒板、ホワイトボード、電子黒板等の掲示板を壁面に取着する場合、壁面側に固着された釘などの支持部材に、掲示板側に固着されると共に孔を有したフック部材を挿嵌することによって掲示板を支持していた。
【０００３】
その一例として、図７に、従来の掲示板取付具５０を概略的に示した図を示す。図７（ａ）は、従来の掲示板取付具５０の斜視図であり、図７（ｂ）は、支持部材５１へフック部材５２を掛けた状態の側面図である。また、図７（ｃ）は、誤ってフック部材５２の下端を支持部材５１へ掛けてしまった状態の側面図である。掲示板取付具５０は、壁面Ｗ側に固着された略釘状の支持部材５１と、掲示板側に固着されたフック部材５２とにより構成されている。理解を容易にするために、掲示板本体は図示していない。
【０００４】
支持部材５１には、フック部材５２を係止する略円柱状の軸部５１ａが形成されており、その軸部５１ａの先端側には軸部５１ａよりも径の大きな円板状の頭部５１ｂが形成されている。この頭部５１ｂによって、軸部５１ａからフック部材５２が脱落するのを防止する。
【０００５】
図７（ａ）に示すように、板状に形成されたフック部材５２の略中央部分には、支持部材５１の頭部５１ｂを貫通させるための貫通孔５２ａが穿設されている。この貫通孔５２ａは、支持部材５１の頭部５１ｂの外径よりも若干大きく形成されている。貫通孔５２ａの上方には、貫通孔５２ａから連接されると共に、略長円形状に形成された係止孔５２ｂが穿設されている。係止孔５２ｂの幅は、支持部材５１の軸部５１ａの径よりも若干大きく形成されている。
【０００６】
掲示板を壁面Ｗに取着する場合には、まず、フック部材５２の貫通孔５２ａに支持部材５１の頭部５１ｂを貫通させる。そして、支持部材５１の頭部５１ｂが完全にフック部材５２の貫通孔５２ａを貫通したら、支持部材５１の軸部５１ａにフック部材５２の係止孔５２ｂを沿わせつつ、フック部材５２を下方へ移動させる。すると、図７（ｂ）に示すように、フック部材５２が支持部材５１に装着（支持）される。なお、その際には、フック部材５２の下端を誤って支持部材５１の軸部５１ａへ掛けてしまわないように注意する必要がある（図７（ｃ）参照）。
【発明の開示】
【発明が解決しようとする課題】
【０００７】
しかしながら、かかる構成により掲示板を壁面Ｗに取着した場合、取着代を確保するために、壁面Ｗから頭部５１ｂの付け根までの距離、つまり、軸部５１ａの長さＢをフック部材５２の板厚Ａより大きくしておく必要がある。すると、軸部５１ａの長さＢとフック部材５２の板厚Ａとの差分だけ隙間が生じるので、掲示板の取着後に壁面Ｗと掲示板との間で「ガタつき」が発生するという問題点があった。
【０００８】
本発明は、上述した問題点を解決するためになされたものであり、壁面と掲示板との間の「ガタつき」を防止することができる掲示板取付具およびその掲示板取付具を用いた掲示板を提供することを目的としている。
【課題を解決するための手段】
【０００９】
この目的を達成するために、請求項１記載の掲示板取付具は、支持部材と、その支持部材に係止可能なフック部材とを備えた掲示板取付具において、前記支持部材には、前記フック部材を係止する係止片部と、その係止片部の端部から外方へ上昇傾斜したテーパー部とが形成されており、前記フック部材は、前記係止片部と係合される係合部が形成された係合板を備えており、前記係合板の厚さは前記係止片部の厚さと略同一かそれより大きく形成されている。
【００１０】
この請求項１記載の掲示板取付具によれば、壁面または掲示板の他方に取着されるフック部材の係合板の厚さは、壁面または掲示板の一方に取着される支持部材の係止片部の厚さと略同一かそれより大きく形成されており、その係合板に形成された係合部は、支持部材のテーパー部の傾斜に沿って係止片部へ誘導され、係止片部に係合される。
【００１１】
請求項２記載の掲示板取付具は、請求項１記載の掲示板取付具において、前記テーパー部は前記係止片部の両端部に形成されている。
【００１２】
この請求項２記載の掲示板取付具によれば、その係合板に形成された係合部は、支持部材の両テーパー部の傾斜に沿って係止片部へ誘導され、係止片部に係合される。
【００１３】
請求項３記載の掲示板取付具は、請求項１または２記載の掲示板取付具において、前記フック部材の１つは、前記係合部の溝の幅が前記係止片部の外形幅と略同一に形成されると共に、前記フック部材の他のものは、前記係合部の溝の幅が前記係止片部の外形幅より広く形成されている。
【００１４】
請求項４記載の掲示板取付具は、請求項１から３のいずれかに記載の掲示板取付具において、前記フック部材は、前記係合板の下端部分から下方へ向かって傾斜しつつ延出されたフック傾斜板を備えている。
【００１５】
この請求項４記載の掲示板取付具によれば、請求項１から３のいずれかに記載の掲示板取付具と同様に作用する上、係合板の下端に誤って支持されされそうになった支持部材の係止片部やテーパー部が、フック部材の係合板の下端部分から下方へ向かって傾斜しつつ延出されたフック傾斜板によって、フック部材の外方へ誘導される。
【００１６】
請求項５記載の掲示板は、請求項１から４のいずれかに記載の掲示板取付具を備えている。
【００１７】
請求項６記載の掲示板は、請求項５に記載の掲示板において、前記フック部材より下方に取着されると共に、壁面に当接される脚を裏面に備えている。
【００１８】
請求項７記載の掲示板は、請求項５に記載の掲示板において、裏面の四隅に、壁面に当接される脚を備えている。
【発明の効果】
【００１９】
請求項１に記載の掲示板取付具によれば、フック部材の係合板の厚さは、支持部材の係止片部の厚さと略同一かそれより大きく形成されており、その係合板に形成された係合部は、支持部材のテーパー部の傾斜に沿って係止片部へ誘導され、係止片部に係合される。よって、支持部材のテーパー部に沿って、フック部材の係合部を容易に支持部材の係止片部へ係合することができる。つまり、掲示板を壁面に容易に掛けることができるという効果がある。さらに、フック部材の係合板の厚さが支持部材の係止片部の厚さと略同一かそれより大きく形成されているので、係合部を係止片部へ係合した後に、係止片部と係合部との間での掲示板の前後方向における「ガタつき」を防止することができる。つまり、掲示板を壁面に掛けた後に、掲示板と壁面との間での掲示板の前後方向における「ガタつき」を防止することができるという効果がある。また、フック部材の係合部を支持部材の係止片部へ係合する場合において、係合板と係止片部とは、掲示板の自重により、最も接近した位置で密着または接触して停止する。よって、掲示板の背面と壁面との間の距離を常に一定に保つことができるという効果がある。
【００２０】
請求項２に記載の掲示板取付具によれば、請求項１に記載の掲示板取付具が奏する、係止片部と係合部との間での掲示板の前後方向における「ガタつき」を防止することが可能という効果を、係止片部の両端部に形成されているテーパー部のみによって得ることができる。
【００２１】
請求項３に記載の掲示板取付具によれば、請求項１または２に記載の掲示板取付具の奏する効果に加え、更に、フック部材の１つは、係合部の溝の幅が係止片部の外形幅と略同一に形成されると共に、フック部材の他のものは、係合部の溝の幅が係止片部の外形幅より広く形成されている。よって、係合部の溝の幅が係止片部の外形幅より広く形成されているフック部材の方を先に係合し、その後に、掲示板を横方向へずらしつつ、係合部の溝の幅が係止片部の外形幅と略同一に形成されているフック部材の方を係合することができるので、掲示板を壁面に容易に掛けることができる。さらに、フック部材の１つは係合部の溝の幅が係止片部の外形幅と略同一に形成されているので、掲示板を壁面に掛けた後に、掲示板と壁面との間での掲示板の横方向（水平方向）における「ガタつき」を防止することができるという効果がある。
【００２２】
請求項４に記載の掲示板取付具によれば、請求項１から３のいずれかに記載の掲示板取付具の奏する効果に加え、更に、係合板の下端に誤って支持されされそうになった支持部材の係止片部やテーパー部が、フック部材の係合板の下端部分から下方へ向かって傾斜しつつ延出されたフック傾斜板によって、フック部材の外方へ誘導される。よって、係合板の下端に支持部材の係止片部やテーパー部を誤ってセット（載置）するのを防ぐことができるという効果がある。かかる構成がなかった場合、係合板の下端を支持部材の係止片部やテーパー部に載置したままの状態でも、あたかも係合部が係止片部に係合されたかのような挙動を示す。そのままの状態で掲示板を使用した場合、振動などにより係合板の下端が支持部材の係止片部やテーパー部から外れ、掲示板が落下する可能性があり、大変危険である。前述の構成によれば、このような事故を未然に防ぐことができる。
【００２３】
請求項５に記載の掲示板によれば、掲示板は請求項１から４のいずれかに記載の掲示板取付具を備えているので、スモールオフィスにおける壁面に、「ガタつき」がないように容易に取着することができるという効果がある。
【００２４】
請求項６に記載の掲示板によれば、請求項５に記載の掲示板取付具の奏する効果に加え、更に、掲示板の裏面におけるフック部材より下方に取着された脚が壁面に当接される。よって、掲示板の記載面に記載することによって掲示板の手前側から奥行き方向へ押圧力を加えた場合も、掲示板取付具を回転中心として掲示板が揺振されるのを防ぐことができるという効果がある。
【００２５】
請求項７に記載の掲示板によれば、請求項５に記載の掲示板取付具の奏する効果に加え、更に、掲示板の裏面における四隅に取着された脚が壁面に当接される。よって、掲示板を縦型および横型として使用した場合に、掲示板の記載面に記載することによって掲示板の手前側から奥行き方向へ押圧力を加えても、掲示板取付具を回転中心として掲示板が揺振されるのを防ぐことができるという効果がある。
【発明を実施するための最良の形態】
【００２６】
以下、本発明の好ましい実施例について、添付図面を参照して説明する。本実施例の掲示板取付具１は、黒板、ホワイトボード、電子黒板などの掲示板を壁面Ｗに取着する場合に用いられるものである。本実施例では、電子黒板Ｅを壁面Ｗに取着する場合について説明する。掲示板取付具１は、壁面Ｗ側に固着される支持部材２と、電子黒板Ｅ側に固着されるフック部材３，４とにより構成されている（図５参照）。
【００２７】
図１は、本実施例の掲示板取付具１が用いられる電子黒板Ｅを概略的に示した斜視図である。この電子黒板Ｅには、略矩形額縁状に形成された外枠Ｆの内側に、両端が巻き取りローラ（図示せず）に巻回されたホワイトシートＳが配設されている。このホワイトシートＳにマーカインク（図示せず）などを用いて文字や図を記載したり、イレーサ（図示せず）によってその記載を消去したりすることができる。
【００２８】
電子黒板Ｅの下方には、イレーサによってホワイトシートＳ上の記載が消去された場合に、その消しカスが床面へ落下するのを防止する略皿状の消しカス受けＲが、ホワイトシートＳの幅よりも若干広くなるように配設されている。消しカス受けＲの下方で電子黒板Ｅの下部には、ホワイトシートＳ上に記載された文字や図を所定の用紙に印刷するプリンタＰが配設されている。プリンタＰによってホワイトシートＳ上に記載された文字や図が印刷される場合には、ホワイトシートＳの両端に配設された巻き取りローラが所定の方向に巻き取られ、記載部がスキャナ（図示せず）を通過することによって画像が読み取られる。
【００２９】
電子黒板Ｅの裏面における下方には、電子黒板Ｅを自立させるためのスタンドＴが配設されている。このスタンドＴは電子黒板Ｅと一体化しつつ、折り畳みが可能な構造となっている。なお、スタンドＴは電子黒板Ｅに対して着脱可能な構造となっているので、スタンドＴから電子黒板Ｅを取り外して、電子黒板Ｅのみを壁面Ｗに掛けることも可能である。
【００３０】
図２に、掲示板取付具１である支持部材２の斜視図を示す。支持部材２は、前述のように壁面Ｗ側に固着される部材であり、１枚の電子黒板Ｅを壁面Ｗに掛ける場合において、２つ１組で用いられる。それぞれの支持部材２は、２つの向かい合った円錐台の間にそれぞれの円錐台の上底と同一径の円柱を結合した形状となっている。
【００３１】
支持部材２の略中央部には、支持部材２の中で最も径が小さな部分である略円柱状の係止片部２ａが形成されており、この係止片部２ａに、フック部材３，４の係合部３ｂ，４ｂが係合されることにより、電子黒板Ｅが壁面Ｗに掛けられる。この係止片部２ａの厚さＣは、後述するフック部材３，４の係合部３ｂ，４ｂが形成された係合板３ａの板厚ｔ（図３、図６参照）と同一となっている。なお、係合板３ａの板厚ｔは、係止片部２ａの厚さＣより大きく形成されていても良い。
【００３２】
係止片部２ａの反壁面Ｗ側の端部からは、反壁面Ｗ側の外周へ向けて開放する方向に傾斜した円錐台状の第１テーパー部２ｂが形成されており、係止片部２ａの壁面Ｗ側の端部からは、壁面Ｗ側の外周へ向けて開放する方向に傾斜した円錐台状の第２テーパー部２ｃが形成されている。このように、係止片部２ａの両側に第１テーパー部２ｂおよび第２テーパー部２ｃが形成されているので、フック部材３，４の係合部３ｂ，４ｂを第１テーパー部２ｂ、または第２テーパー部２ｃの傾斜に沿って係止片部２ａへ誘導し、フック部材３，４を支持部材２へ容易に係合することができるのである。なお、本実施例では、係止片部２ａの両側に第１テーパー部２ｂおよび第２テーパー部２ｃが形成されているが、このようなテーパーは、係止片部２ａの片側にのみ形成されていても良い。
【００３３】
支持部材２における第２テーパー部２ｃの下底面は、矩形板状に形成されたベースプレート５にそれぞれ固着されている。このベースプレート５の四隅には、ベースプレート５を壁面Ｗに固着するためのネジ６を貫通させる貫通孔５ａがそれぞれ皿孔状に穿設されている。また、壁面Ｗにおけるベースプレート５の貫通孔５ａに対応する位置には、ネジ６に螺合可能なネジ孔Ｗ１がそれぞれ穿設されている。よって、ネジ６を貫通孔５ａへ挿入し、ネジ孔Ｗ１内へ螺入することにより、ベースプレート５を壁面Ｗに螺着（固着）することができる。
【００３４】
図３に、掲示板取付具１であるフック部材３，４を示す。フック部材３，４は、前述のように電子黒板Ｅ側に固着される部材であり、電子黒板Ｅの裏面に固着される。フック部材３，４は、支持部材２と同様に、１枚の電子黒板Ｅを壁面Ｗに掛ける場合において、２つ１組で用いられる。また、その固着間隔は、前述の２つの支持部材２の固着間隔と対応している。
【００３５】
図３（ａ）は、一側のフック部材３の平面図であり、図３（ｂ）は、他側のフック部材４の平面図である。詳細は後述するが、このように２種類のフック部材３，４を用いることにより、電子黒板Ｅを壁面Ｗへ容易に装着しつつ、電子黒板Ｅを壁面Ｗへ装着した後に、電子黒板Ｅと壁面Ｗとの間での電子黒板Ｅの横方向における「ガタつき」を防止することができる。また、図３（ｃ）は、一側および他側のフック部材３，４の側断面図である。フック部材３，４は、金属板を複数箇所折り曲げることによってそれぞれ形成されている。
【００３６】
図３（ａ）に示すように、フック部材３の略中央部には、板状の係合板３ａが形成されており、その係合板３ａの略中央部には、前述した支持部材２の係止片部２ａに係合される係合部３ｂが略溝状（孔状）に形成されている。前述のように、この係合板３ａの板厚ｔは、支持部材２の第１テーパー部２ｂと第２テーパー部２ｃとの間に形成される係止片部２ａの厚さＣと等しく形成されている。
【００３７】
よって、フック部材３を支持部材２へ係合した後に、支持部材２とフック部材３との間での電子黒板Ｅの前後方向における「ガタつき」を防止することができる。つまり、電子黒板Ｅと壁面Ｗとの間での電子黒板Ｅの前後方向における「ガタつき」を防止することができるのである。
【００３８】
このように、フック部材３の係合部３ｂは、係合板３ａの板厚ｔと等しくなるようにその厚さＣを形成された支持部材２の係止片部２ａへ確実に係合されるので、電子黒板Ｅの背面と壁面Ｗとの間の距離を常に一定に保つことができる。詳細は後述するが、このように電子黒板Ｅの背面と壁面Ｗとの間の距離を常に一定に保つことにより、後述する脚８の効果が最大限に発揮される。
【００３９】
また、本実施例では、係合板３ａの板厚ｔは、係止片部２ａの厚さＣと等しく形成されているが、係合板３ａの板厚ｔが係止片部２ａの厚さＣより大きく形成されていても良い。かかる場合には、電子黒板Ｅの自重によって、係止片部２ａと係合部３ｂとが最も接近した状態で接触して停止するので、上述の場合と同様に、電子黒板Ｅの背面と壁面Ｗとの間の距離を常に一定に保つことができるのである。かかる場合においても、電子黒板Ｅと壁面Ｗとの間での電子黒板Ｅの前後方向における「ガタつき」を防止することができる。
【００４０】
さらに、この係合部３ｂの溝幅Ｈ１は、支持部材２の係止片部２ａの外径Ｄ（図２参照）と等しく形成されている。よって、電子黒板Ｅと壁面Ｗとの間での電子黒板Ｅの横方向（水平方向）における「ガタつき」を防止することができるのである。
【００４１】
図３（ｃ）に示すように、係合板３ａおよび係合部３ｂは、支持部材２の第１テーパー部２ｂをその内部に包容するために、電子黒板Ｅの裏面から所定量だけ突出した位置に形成されている。
【００４２】
図３（ａ）に示すように、係合板３ａの両下端からは、板状のフック傾斜板３ｃがそれぞれ延出されている。図３（ｃ）に示すように、フック傾斜板３ｃは係合板３ａの下端から電子黒板Ｅの裏面へ傾斜して形成されている。よって、係合板３ａの下端に誤って支持されそうになった支持部材２の係止片部２ａや第１テーパー部２ｂが、このフック傾斜板３ｃによって、フック部材３，４の外方へ誘導される。
【００４３】
従って、係合板３ａの下端を支持部材２の係止片部２ａや第１テーパー部２ｂに誤ってセット（載置）してしまうのを防止することができるのである。かかる構成がなかった場合、係合板３ａの下端を支持部材２の係止片部２ａや第１テーパー部２ｂに誤って載置してしまう恐れがある。そのような状態でも、あたかも係合部３ｂが支持部材２の係止片部２ａに係合されたかのような挙動を示すため、そのままの状態で電子黒板Ｅを使用した場合、振動などにより係合板３ａの下端が支持部材２の係止片部２ａや第１テーパー部２ｂから外れ、電子黒板Ｅが落下する可能性があり、大変危険である。前述の構成によれば、このような事故を未然に防ぐことができる。
【００４４】
係合板３ａの両下端から延出されたフック傾斜板３ｃにおいて、係合部３ｂの下方には、支持部材２の第１テーパー部２ｂを通過させるための拡大溝部３ｄが略溝状（孔状）に形成されている。この拡大溝部３ｄの溝幅Ｈ２は、支持部材２の第１テーパー部２ｂの最大外径Ｇ（図２参照）より大きく形成されているので、支持部材２の第１テーパー部２ｂが拡大溝部３ｄを容易に通過して、係合部３ｂを係止片部２ａへ係合することができる。
【００４５】
フック傾斜板３ｃにおける係合部３ｂと拡大溝部３ｄとの間には、係合部３ｂと拡大溝部３ｄとに連設されると共に、拡大溝部３ｄへ挿嵌された支持部材２の係止片部２ａを係合部３ｂへ誘導するためのガイド溝３ｅが略溝状（孔状）に形成されている。このガイド溝３ｅの溝幅は、拡大溝部３ｄの溝幅Ｈ２から係合部３ｂの溝幅Ｈ１へと直線的に変化しているので、支持部材２の係止片部２ａを滑らかに係合部３ｂへ誘導することができる。
【００４６】
係合板３ａの両側方からは、係合板３ａを電子黒板Ｅの裏面から所定量だけ突出した位置に形成するための略Ｌ字形に屈曲された脚板３ｆが延出されている。
この脚板３ｆの底面は、電子黒板Ｅの裏面に当接されており、その底面の略中央にはフック部材３を電子黒板Ｅの裏面に固着するためのネジ７を貫通させる貫通孔３ｇがそれぞれ皿孔状に穿設されている（図３（ｃ）参照）。また、電子黒板Ｅの裏面における脚板３ｆの貫通孔３ｇに対応する位置には、ネジ７に螺合可能なネジ孔Ｅ１がそれぞれ穿設されている。よって、ネジ７を貫通孔３ｇへ挿入し、ネジ孔Ｅ１内へ螺入することにより、フック部材３を電子黒板Ｅの裏面に螺着（固着）することができる。
【００４７】
次に、図３（ｂ）を参照して、他側のフック部材４について説明する。他側のフック部材４が一側のフック部材３と異なるのは、係合板３ａに形成された係合部４ｂの形状だけなので、その部分についてのみ説明する。なお、その他の部分は前記した一側のフック部材３と同様であるので、一側のフック部材３と同一の部分には同一の符号を付し、その説明を省略する。
【００４８】
係合板３ａの略中央部には、一側のフック部材３に形成された係合部３ｂと同様に、支持部材２の係止片部２ａに係合される係合部４ｂが、略Ｌ字形の溝状（孔状）に形成されている。係合板３ａの板厚ｔは、一側のフック部材３と同様に、支持部材２の係止片部２ａの厚さＣと等しく形成されている。よって、電子黒板Ｅと壁面Ｗとの間での電子黒板Ｅの前後方向における「ガタつき」を防止することができると共に、電子黒板Ｅの背面と壁面Ｗとの間の距離を常に一定に保つことができる。
【００４９】
略Ｌ字形に形成された係合部４ｂの溝幅Ｈ１，Ｈ３は、支持部材２の係止片部２ａの外径Ｄ（図２参照）と等しく形成されている。よって、支持部材２の係止片部２ａは略Ｌ字形に形成された係合部４ｂ内を自在に滑動することができる。
また、略Ｌ字形に形成された係合部４ｂの溝の長さＨ４は、支持部材２の係止片部２ａの外径Ｄ（図２参照）よりも十分に大きく形成されている。
【００５０】
このように、他側のフック部材４における係合部４ｂの溝の長さＨ４を支持部材２の係止片部２ａの外径Ｄよりも十分に大きくすることにより、一側のフック部材３の係合部３ｂの溝幅Ｈ１を支持部材２の係止片部２ａの外径Ｄと等しく形成しても、容易に両フック部材３，４を支持部材２の係止片部２ａに係合することができる。つまり、Ｌ字形の係合部４ｂが形成された他側のフック部材４の方を、先に支持部材２の係止片部２ａに係合しておき、その後、係合部４ｂの溝の長さ（Ｈ４）方向に電子黒板Ｅをずらしながら、一側のフック部材３の係合部３ｂを支持部材２の係止片部２ａに係合すれば良いのである。
【００５１】
かかる構成によれば、電子黒板Ｅを壁面Ｗへ容易に装着しつつ、電子黒板Ｅを壁面Ｗへ装着した後の電子黒板Ｅと壁面Ｗとの間での電子黒板Ｅの横方向（水平方向）における「ガタつき」を防止することができる。なお、他側のフック部材４における係合部４ｂの溝の長さＨ４を支持部材２の係止片部２ａの外径Ｄよりも十分に大きくすることにより、各フック部材３，４の設置誤差を吸収することもできる。
【００５２】
なお、本実施例では、フック部材４の係合部４ｂは略Ｌ字形となっているが、一側のフック部材３と同様の直線形の溝形状で、一側のフック部材３の溝幅Ｈ１に相当する部分の溝幅が係止片部２ａの外径Ｄ（図２参照）よりも十分に大きな溝幅Ｈ４で構成されていても良い。
【００５３】
また、本実施例においては、支持部材２が壁面Ｗ側、フック部材３，４が電子黒板Ｅ側に取着されているが、この構成とは逆に、フック部材３，４が壁面Ｗ側、支持部材２が電子黒板Ｅ側に取着されるように構成されていても良い。但し、かかる構成の場合には、フック部材３，４の上下の向きを逆向きにして壁面Ｗに取着する必要がある。つまり、拡大溝部３ｄの開口部が上方になるように取着するのである。
【００５４】
図４は、電子黒板Ｅの裏面へのフック部材３，４の固着状況を示した平面図である。本実施例の電子黒板Ｅは、縦型と横型とで共用できるように構成されている。よって、フック部材３，４もそれに対応して固着されている。つまり、電子黒板Ｅを縦型として使用する場合には、電子黒板Ｅの短辺側における上方（図４における上方）に配設されたフック部材３，４を用い、電子黒板Ｅを横型として使用する場合には、電子黒板Ｅの長辺側における上方（図４における右方）に配設されたフック部材３，４を用いる。電子黒板Ｅを縦型として使用する場合のフック部材３とフック部材４との間隔Ｌ１は、横型として使用する場合のフック部材３とフック部材４との間隔Ｌ２と等しくなるように構成されている。
【００５５】
なお、本実施例では、フック部材３，４は電子黒板Ｅの外枠Ｆに相当する部分の裏側にネジ７によってそれぞれ取着（螺着）されている。かかる構成によれば、ネジ７が十分に長くても、その螺入代を外枠Ｆの部分に確保することができるので、電子黒板Ｅの記載面であるホワイトシートＳの裏面部分は、ネジ７の螺入代を考慮した構造とする必要がない。よって、電子黒板Ｅ全体を薄型化することができる。
【００５６】
図４に示すように、電子黒板Ｅの裏面における四隅からは、壁面Ｗ側へ向かって円錐台状に形成された脚８がそれぞれ突設されている。それぞれの脚８は、壁面Ｗへ当接されている。
【００５７】
図５に、脚８の取着効果を示した電子黒板Ｅの側面図を示す。まず、図５に示すように、フック部材３，４よりも下方における縁端部近傍からは脚８が突設され、壁面Ｗへ当接されている。電子黒板ＥのホワイトシートＳへの記載などによって、フック部材３，４よりも下方において、電子黒板Ｅの手前側から奥行き方向へ押圧力が加えられるが、そのような場合にも、フック部材３，４を回転中心として電子黒板Ｅが矢印Ｉ方向に揺振されるのを防ぐことができるのである。また、前述のように、本実施例の電子黒板Ｅは縦型と横型とで共用できるように構成されているので、四隅に脚８を取着しておけば、縦型および横型のどちらで使用しても、前述の効果を達成することができるのである。
【００５８】
さらに、図５に示すように、フック部材３，４よりも上方における縁端部近傍からも脚８が突設され、壁面Ｗへ当接されている。よって、フック部材３，４よりも上方において、電子黒板Ｅの手前側から奥行き方向へ何らかの押圧力が加えられた場合にも、フック部材３，４を回転中心として電子黒板Ｅが矢印Ｉ方向に揺振されるのを防ぐことができる。
【００５９】
上述のような効果を発揮するためには、それぞれの脚８が確実に壁面Ｗへ当接されている必要がある。前述のように、本実施例の支持部材２およびフック部材３，４によれば、電子黒板Ｅの背面と壁面Ｗとの間の距離を常に一定に保つことができるので、脚８の長さを一定にすることが可能であり、それぞれの脚８を確実に壁面Ｗへ当接させることができる。
【００６０】
次に、図６を参照して、電子黒板Ｅを壁面Ｗに掛ける場合の動作について説明する。図６（ａ）は、壁面Ｗに固着されている支持部材２の側断面図であり、図６（ｂ）は、支持部材２へフック部材３，４が係合された状態の側断面図である。支持部材２へフック部材３，４を係合する順番としては、まず、Ｌ字形の係合部４ｂが形成された他側のフック部材４の方を、一側のフック部材３よりも先に支持部材２の係止片部２ａに係合する。そして、フック部材４の係合部４ｂの溝の長さ（Ｈ４）方向に電子黒板Ｅをずらしながら、一側のフック部材３の係合部３ｂを支持部材２の係止片部２ａに係合するのである。
【００６１】
次に、各フック部材３，４を支持部材２に係合する場合の詳細な動作について説明する。まず、各フック部材３，４の略真裏に支持部材２が来るように電子黒板Ｅを移動させる。そして、フック部材４の拡大溝部３ｄ（図３（ｂ）参照）の真下に、対応する支持部材２が来るように電子黒板Ｅを移動させ、フック部材４の拡大溝部３ｄに支持部材２の第１テーパー部２ｂを通過させる。
【００６２】
ここで、フック部材４の拡大溝部３ｄと、それに対応する支持部材２との位置が微妙にずれていた場合は、第１テーパー部２ｂが係合板３ａの下端部分から延出されたフック傾斜板３ｃによって、フック部材４の外方へ誘導されるので（図６（ｂ）中の一点鎖線で表示した支持部材２を参照）、係合板３ａの下端が誤って支持部材２に支持されることはない。
【００６３】
次に、支持部材２の係止片部２ａを拡大溝部３ｄからガイド溝３ｅに沿って係合部４ｂへ誘導する（図３（ｂ）参照）。この場合には、フック部材４に形成された溝幅は、拡大溝部３ｄの溝幅Ｈ２から係合部４ｂの溝幅Ｈ１へと狭められるが、その際にフック部材４は、支持部材２の第１テーパー部２ｂまたは第２テーパー部２ｃの傾斜に沿って係止片部２ａへ誘導され、最終的には係合部４ｂが係止片部２ａに嵌合される。係止片部２ａに嵌合されたフック部材４は、係止片部２ａをＬ字形の係合部４ｂに沿わせて自在に移動することができるので、電子黒板Ｅを下方へ移動させて係止片部２ａが係合部４ｂの上端部に突き当たったところで、電子黒板Ｅを水平方向（係合部４ｂの溝の長さ（Ｈ４）方向）へ移動させる。これで、支持部材２へのフック部材４の係合が完了する。
【００６４】
続いて、フック部材３の係合であるが、まず、フック部材３の拡大溝部３ｄ（図３（ａ）参照）の真下に、対応する支持部材２が来るように電子黒板Ｅを水平方向へ移動させる。以下は、フック部材４の係合と同様に、フック部材３の拡大溝部３ｄに支持部材２の第１テーパー部２ｂを通過させ、支持部材２の係止片部２ａを拡大溝部３ｄからガイド溝３ｅに沿って係合部４ｂへ誘導する。そして、フック部材３を支持部材２の第１テーパー部２ｂまたは第２テーパー部２ｃの傾斜に沿って係止片部２ａへ誘導し、係合部３ｂを係止片部２ａに係合するのである。ここで、フック部材３は、フック部材４と同様に、フック傾斜板３ｃを備えているので、係合板３ａの下端が誤って支持部材２に支持されることはない。
【００６５】
以上で、電子黒板Ｅを壁面Ｗに掛ける場合の動作が完了する。なお、電子黒板Ｅを壁面Ｗから脱着する場合は、掛ける場合とは逆の動作を行えば良い。
【００６６】
以上説明したように、本実施例の掲示板取付具１は、電子黒板Ｅに取着されるフック部材３，４の係合板３ａの厚さが、壁面Ｗに取着される支持部材２の係止片部２ａの厚さと同一に形成されており、その係合板３ａに形成された係合部３ｂ，４ｂが、支持部材２の第１テーパー部２ｂまたは第２テーパー部２ｃの傾斜に沿って係止片部２ａへ誘導され、係止片部２ａに係合する。よって、支持部材２の第１テーパー部２ｂまたは第２テーパー部２ｃによって、フック部材３，４の係合部３ｂ，４ｂを容易に支持部材２の係止片部２ａへ係合することができる。つまり、電子黒板Ｅを壁面Ｗに容易に掛けることができる。さらに、フック部材３，４の係合板３ａの厚さが支持部材２の係止片部２ａの厚さと同一に形成されているので、係合部３ｂ，４ｂを係止片部２ａへ係合した後に、係止片部２ａと係合部３ｂ，４ｂとの間での電子黒板Ｅの前後方向における「ガタつき」を防止することができる。つまり、電子黒板Ｅを壁面Ｗに掛けた後に、電子黒板Ｅと壁面Ｗとの間での電子黒板Ｅの前後方向における「ガタつき」を防止することができる。
【００６７】
以上、実施例に基づき本発明を説明したが、本発明は上記実施例に何ら限定されるものではなく、本発明の趣旨を逸脱しない範囲内で種々の改良変形が可能であることは容易に推察できるものである。
【００６８】
例えば、支持部材２およびフック部材３，４を３つ１組とするなど、２つよりも多く用いても良い。
【図面の簡単な説明】
【００６９】
【図１】本実施例の掲示板取付具が用いられる電子黒板Ｅを概略的に示した斜視図である。
【図２】掲示板取付具である支持部材の斜視図である。
【図３】（ａ）は、一側のフック部材の平面図であり、（ｂ）は、他側のフック部材の平面図であり、（ｃ）は、一側および他側のフック部材の側断面図である。
【図４】電子黒板の裏面へのフック部材の固着状況を示した平面図である。
【図５】脚の取着効果を示した電子黒板の側面図である。
【図６】（ａ）は、壁面に固着されている支持部材の側断面図であり、（ｂ）は、支持部材へフック部材が係合された状態の側断面図である。
【図７】（ａ）は従来の掲示板取付具の斜視図であり、（ｂ）は支持部材へフック部材を掛けた状態の側面図であり、（ｃ）は誤ってフック部材の下端を支持部材へ掛けてしまった状態の側面図である。
【符号の説明】
【００７０】
１                  掲示板取付具
２                  支持部材
２ａ                係止片部
２ｂ                第１テーパー部（テーパー部）
２ｃ                第２テーパー部（テーパー部）
３，４              フック部材
３ａ                係合板
３ｂ，４ｂ          係合部
３ｃ                フック傾斜板
８                  脚
Ｅ                  電子黒板（掲示板）
Ｗ                  壁面
【図１】
2005095637.tif 000003
【図２】
2005095637.tif 000004
【図３】
2005095637.tif 000005
【図４】
2005095637.tif 000006
【図５】
2005095637.tif 000007
【図６】
2005095637.tif 000008
【図７】
2005095637.tif 000009